(57)【要約】【課題】組み立て性が容易で製造コストの低減化に寄与しメンテナンス性の向上に寄与するレンズ鏡筒を提供する。【解決手段】レンズ鏡筒１において、両端が開放された筒状の固定枠１６と、固定枠の一方の開放端から挿入されレンズ群（３２，３３，３４）を保持し固定枠の中に固定される枠組立体２５と、固定枠の一方の開放端から挿入され枠組立体に固定される絞りユニット１９とを具備する。【選択図】図２
2018141828.tif 000002
【特許請求の範囲】
【請求項１】
レンズ鏡筒において、
両端が開放された筒状の固定枠と、
上記固定枠の一方の開放端から挿入され、レンズ群を保持し上記固定枠の中に固定される枠組立体と、
上記固定枠の一方の開放端から挿入され、上記組立体に固定される絞りユニットと、
を具備するレンズ鏡筒。
【請求項２】
上記絞りユニットは、フレキシブルプリント基板が延伸し、
上記フレキシブルプリント基板は、上記固定枠の一方の開放端から当該固定枠の中に光軸方向に挿入され、上記固定枠の他方の開放端から露出される位置に配置されることを特徴とした請求項１記載のレンズ鏡筒。
【請求項３】
レンズ鏡筒において、
絞りユニットと、
上記絞りユニットから延伸したフレキシブルプリント基板と、
両端が開放された筒状に形成され、該筒状の内部に上記絞りユニットを収納する第１の枠と、
上記第１の枠の外側に設けられた第２の枠と、
上記第２の枠の内周側と上記第１の枠の外周側との間の一部に形成され、上記絞りユニットの収納位置から上記第１の枠の一端面までの間で、上記フレキシブルプリント基板を挿抜できるように光軸方向に連通した連通空間部と、
を具備するレンズ鏡筒。
【請求項４】
上記第１の枠の一端面の近傍に配置された電気基板を、さらに備え、
上記フレキシブルプリント基板の延伸端部は、上記電気基板に接続されることを特徴とした請求項３記載のレンズ鏡筒。
【請求項５】
上記第１の枠は固定枠であることを特徴とした請求項３又は請求項４記載のレンズ鏡筒。
【発明の詳細な説明】
【技術分野】
【０００１】
この発明は、絞りユニット等の構成ユニットを内部に固設して具備するレンズ鏡筒に関するものである。
【背景技術】
【０００２】
従来、撮像光学系により結像された光学像を撮像素子等を用いて画像信号として取得するデジタルカメラ等の撮像装置が一般に実用化され広く普及している。
【０００３】
この種の撮像装置においては、被写体の光学像を形成するための撮像光学系を有するレンズ鏡筒を備えて構成されているのが一般である。
【０００４】
従来のこの種のレンズ鏡筒は、例えば複数の光学レンズを組み合わせて構成され、被写体の光学像を結像させる撮像光学系と、この撮像光学系の一部の光学レンズ群を光軸に沿う方向において進退移動させるレンズ駆動機構と、上記撮像光学系を透過する光量の調節を行う絞りユニット又はシャッターユニット等を具備して構成されているのが普通である。
【０００５】
一般に、従来の撮像装置等に適用される一般的な構成のレンズ鏡筒において、レンズ駆動機構や絞りユニット，シャッターユニット等は、電気的な構成部品、例えば電気部品を実装した電気基板や、これら電気基板同士を接続する接続線材又はフレキシブルプリント基板等を含んで構成されているものである。
【０００６】
このうち、フレキシブルプリント基板等は、具体的には、例えば各種の制御信号やセンサ出力信号等を伝達するほか、所定の電源からの電力の供給を受ける等のための電気的伝達経路の役目をしている。
【０００７】
そのために、上記フレキシブルプリント基板等は、上記絞りユニット等の各構成ユニットから延伸して設けられており、当該構成ユニットがレンズ鏡筒の内部に配置された時、同レンズ鏡筒の内部における各種の構成部品群の隙間空間に挿通配置されている。そして、最終的には、各構成ユニットからレンズ鏡筒の後面側に設けられるレンズ基板等に至り、当該レンズ基板上の接続コネクタ等に接続されるという構成を採られているのが一般である。
【０００８】
この場合において、従来のレンズ鏡筒における上記フレキシブルプリント基板等は、例えば特開平１１−２１８６６９号公報等によって開示されているように、レンズ鏡筒内の隙間空間内において、例えば折り畳まれた形態などによって複雑に収納されているものがある。この場合において、フレキシブルプリント基板を装置内部に組み込む際の作業性を考慮して、フレキシブルプリント基板の中途部位を装置内部の固定部に対し両面テープ等を用いて接着固定するといったことが行われる。
【先行技術文献】
【特許文献】
【０００９】
【特許文献１】特開平１１−２１８６６９号公報
【発明の概要】
【発明が解決しようとする課題】
【００１０】
ところが、上記特開平１１−２１８６６９号公報等によって開示されているレンズ鏡筒のように、内部構成ユニットから延伸するフレキシブルプリント基板等が、当該レンズ鏡筒内部において複雑な形態で配置される構成であったり、装置内部の中途部位で接着固定されていたりすると、レンズ鏡筒に対して構成ユニットを組み込む製造工程時や、同構成ユニットを取り出して行うメンテナンス時などにおける作業性が低下してしまうという問題点がある。
【００１１】
また、従来のレンズ鏡筒においては、内部構成ユニットから延伸するフレキシブルプリント基板等を内部に配設する構成において、組み立て時やメンテナンス時の作業性を考慮して構成されるものはなかった。
【００１２】
本発明は、上述した点に鑑みてなされたものであって、その目的とするところは、レンズ鏡筒に対し、電気的構成部品を伴う構成ユニット（例えば絞りユニット等）を、容易に組み込んだり、容易に取り外したりすることができるような構造を備え、製造工程の簡素化及び製造コストの低減化に寄与することができると共に、メンテナンス性の向上にも寄与することのできるレンズ鏡筒を提供することである。
【課題を解決するための手段】
【００１３】
上記目的を達成するために、本発明の一態様のレンズ鏡筒は、レンズ鏡筒において、両端が開放された筒状の固定枠と、上記固定枠の一方の開放端から挿入され、レンズ群を保持し上記固定枠の中に固定される枠組立体と、上記固定枠の一方の開放端から挿入され上記枠組立体に固定される絞りユニットと、を具備する。
【００１４】
本発明の別の一態様のレンズ鏡筒は、レンズ鏡筒において、絞りユニットと、上記絞りユニットから延伸したフレキシブルプリント基板と、両端が開放された筒状に形成され、該筒状の内部に上記絞りユニットを収納する第１の枠と、上記第１の枠の内側に設けられた第２の枠と、上記第２の枠の外周側と上記第１の枠の内周側との間の一部に形成され、上記絞りユニットの収納位置から上記第１の枠の一端面までの間で、上記フレキシブルプリント基板を挿抜できるように光軸方向に連通した連通空間部と、を具備する。
【発明の効果】
【００１５】
本発明によれば、レンズ鏡筒に対し、電気的構成部品を伴う構成ユニット（例えば絞りユニット等）を、容易に組み込んだり、容易に取り外したりすることができるような構造を備え、製造工程の簡素化及び製造コストの低減化に寄与することができると共に、メンテナンス性の向上にも寄与することのできるレンズ鏡筒を提供することができる。
【図面の簡単な説明】
【００１６】
【図１】本発明の一実施形態のレンズ鏡筒を分解して示す要部分解斜視図
【図２】図１の一実施形態のレンズ鏡筒を光軸を含む面で切断した拡大縦断面図
【図３】図２の符号［３］で示す部分を拡大して示す要部拡大断面図
【図４】図１のレンズ鏡筒における後側ユニット群を示し、絞りユニットが枠組立体に組み込まれる前のようすを示しており、図１の符号［４］で示す各部品の断面図
【図５】図３の図中線分［５］で示す断面を示す部分断面図
【図６】図１のレンズ鏡筒の一部（フード取付リングと前側外装リングとのビス止め固定部近傍；図２の符号［６］で示す領域近傍）を拡大して示す要部拡大断面図。
【発明を実施するための形態】
【００１７】
以下、図示の実施の形態によって本発明を説明する。以下の説明に用いる各図面は模式的に示すものであり、各構成要素を図面上で認識できる程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１８】
［一実施形態］
図１〜図４は、本発明の一実施形態を示す図である。このうち、図１は、本発明の一実施形態のレンズ鏡筒を分解して示す要部分解斜視図である。図２は、本発明の一実施形態のレンズ鏡筒において、光軸を含む面で切断した拡大縦断面図である。図３は、図２の符号［３］で示す部分を拡大して示す要部拡大断面図である。図４は、本実施形態のレンズ鏡筒における後側ユニット群を示す図であって、絞りユニットが枠組立体に組み込まれる前のようすを示している。なお、この図４は、図１の符号［４］で示す各部品の断面図である。
【００１９】
本発明の一実施形態は、例えば複数の光学レンズからなる撮像光学系によって形成される光学像を固体撮像素子を用いて光電変換し、これによって得られる画像信号を静止画像又は動画像を表わすデジタル画像データに変換し、こうして生成されたデジタルデータを記憶媒体に記録し、また記憶媒体に記録されたデジタル画像データに基いて静止画像又は動画像を表示装置に再生表示し得るように構成される撮像装置等に適用されるレンズ鏡筒を例示するものである。
【００２０】
また、本発明の一実施形態は、撮像装置本体に対してレンズ鏡筒が着脱自在に構成されるいわゆるレンズ交換式カメラに適用されるレンズ鏡筒を例示している。本発明は、この形態のレンズ鏡筒に限られることはなく、例えば撮像装置本体とレンズ鏡筒とが一体に構成されたいわゆるレンズ一体型カメラに対しても同様に適用することができる。
【００２１】
なお、本実施形態においては、レンズ鏡筒における撮像光学系の光軸を符号Ｏで表すものとする。このレンズ鏡筒の光軸Ｏに沿う方向において、被写体に対向する面を前面というものとし、マウント部のある面を後面というものとする。
【００２２】
本実施形態のレンズ鏡筒を構成する各構成ユニットのそれぞれは、基本的には、従来一般に実用化されているレンズ鏡筒と略同様の構成からなる。したがって、従来のレンズ鏡筒と同様の構成を有する部材については、その詳細説明を省略する。そして、以下の説明では、レンズ鏡筒の基本的な構成を簡略に説明すると共に、本実施形態の特徴となる構成（具体的には、絞りユニットから延伸されるフレキシブルプリント基板のレンズ鏡筒内部における配置の構成）について主に詳述するものとする。
【００２３】
本実施形態のレンズ鏡筒１は、図１，図２等に示すように、前面装飾リング１１と、フード取付リング１２と、前側外装リング１３と、１群レンズ枠Ａ１４と、１群レンズ枠Ｂ１５と、第１レンズ群３１等を含む前側ユニット群１０と、外装後筒１６と、レンズ基板２９（図１不図示；図２参照）と、レンズ側マウント部１７と、接点保持リング１８と、絞りユニット１９と、シボリユニットオサエイタ（弾性部材）２０（図１参照；図２不図示）と、フォーカスリング２１と、２群レンズ枠２２，３群レンズ枠２３，４群レンズ枠２４（図１不図示；図２参照）と、内部固定筒２５（図１，図２参照）と、第２レンズ群３２，第３レンズ群３３，第４レンズ群３４（図１不図示；図２参照）等を含む後側ユニット群４０等によって主に構成されている。
【００２４】
上記前面装飾リング１１は、フード取付リング１２の前面に対して両面テープ２６（図１参照）等の接合部材を用いて固設されている。また、フード取付リング１２は、前側外装リング１３を挟んで内部固定筒２５の前面側に複数のビス２７ａ（図１参照）を用いてビス止め固定されている。
【００２５】
１群レンズ枠Ａ１４及び１群レンズ枠Ｂ１５は、第１レンズ群３１を固定保持する保持枠部材である。ここで、第１レンズ群３１は、複数の光学レンズからなり、当該レンズ鏡筒１の前面寄りに配設されるレンズ群である。
【００２６】
１群レンズ枠Ａ１４は、内部固定筒２５の固定部に対して複数のビス２７ｂ（図１参照）を用いてビス止め固定されている。また、１群レンズ枠Ｂ１５も同様に、内部固定筒２５の内壁面の固定部に対して複数のビス２７ｃ（図１参照）を用いてビス止め固定されている。
【００２７】
そして、上記前側ユニット群１０の上記各構成ユニットは、本レンズ鏡筒１の前面側に設けられると共に、一部（絞りユニット１９等）は上記内部固定筒２５の内部に収納され、かつ当該レンズ鏡筒１の前面側に向けて取り出すことができるようになっている。換言すると、当該レンズ鏡筒１を組み立てる際には、初めに、絞りユニット１９を前方より内部固定筒２５の内部に挿入し、光軸方向の略中央に組み付け、その後、上記前側ユニット群１０の各構成ユニットを当該レンズ鏡筒１の前面側に対して順次所定の順番で組み込み、各所定の部分にて組み付けるような形態としている。
【００２８】
内部固定筒２５は、両端が開放された開口を有する筒状の固定枠であり第１の枠であり固定筒部材である。この内部固定筒２５には、別の筒部材が配置され、その筒の外面にフォーカスリング２１が回転自在に配設されている。
【００２９】
上記内部固定筒２５の内部には、シボリユニットオサエイタ（弾性部材）２０（図１参照；図２不図示）と、絞りユニット１９と、２群レンズ枠２２，３群レンズ枠２３，４群レンズ枠２４（図１不図示；図２参照）の各枠部材に保持される第２レンズ群３２，第３レンズ群３３，第４レンズ群３４（図１不図示；図２参照）等が収納されている。
【００３０】
さらに、上記内部固定筒２５の後面には、レンズ基板２９（図２参照）と、レンズ側マウント部１７と、接点保持リング１８等が固設されている。
【００３１】
レンズ側マウント部１７は、内部固定筒２５の後面の固定部に対して複数のビス２７ｅ（図１参照）を用いてビス止め固定されている。また、接点保持リング１８は、内部固定筒２５の後面の固定部に対して複数のビス２７ｆ（図１参照）を用いてビス止め固定されている。
【００３２】
２群レンズ枠２２は、複数の光学レンズからなる第２レンズ群３２を固定保持する保持枠部材である。同様に、３群レンズ枠２３は、複数の光学レンズからなる第３レンズ群３３を固定保持する保持枠部材である。そして、４群レンズ枠２４は、光学レンズからなる第４レンズ群３４を固定保持する保持枠部材である。
【００３３】
なお、上記３群レンズ枠２３は、不図示の駆動源及び駆動機構によって光軸Ｏに沿う方向に進退移動することができるように構成されている。即ち、上記第３レンズ群３３は、例えばフォーカシング動作を行うための可動レンズ群である。また、上記第１レンズ群３１，第２レンズ群３２，第４レンズ群３４は、固定レンズ群である。
【００３４】
上記絞りユニット１９は、撮像光学系を透過する光量の調節を行う構成ユニットである。そのために、上記絞りユニット１９は、図１に示すように、略円形状の開口を有し、全体として略円環形状に形成されている。この絞りユニット１９は、上記円形状開口の中心軸が撮像光学系の光軸Ｏと略一致するように配設されている。上記絞りユニット１９は、内部固定筒２５（固定枠）の一方の開放端から挿入され、内部固定筒２５（枠組立体）の前面に固定されている（詳細後述）。
【００３５】
上記絞りユニット１９の内部には、複数の絞り羽根（不図示）が設けられている。これら複数の絞り羽根（不図示）は、絞り駆動モータ２８によって駆動される。この絞り駆動モータ２８は、当該絞りユニット１９の前面側の所定の位置に配設されている。
【００３６】
また、上記絞りユニット１９は、上記絞り駆動モータ２８によって駆動される絞り羽根（不図示）の位置を検出する位置検出センサ（ＰＩ；フォトインタラプタ等）等の電気的構成部品を有している。したがって、絞りユニット１９からは、これら電気的構成部品と、上記レンズ基板２９とを電気的に接続するためのフレキシブルプリント基板３０が光軸方向に延伸している。
【００３７】
上記フレキシブルプリント基板３０は、絞りユニット１９から当該レンズ鏡筒１の後方に向けて延伸部が延伸しており、その先端部、即ち延伸端部は、レンズ基板２９上に実装されたコネクタ２９ａ（図２参照）に接続されている。
【００３８】
上記レンズ基板２９は、内部固定筒２５（第１の枠）の後面（一端面）の近傍の内部に配置される電気基板である。このレンズ基板２９は、後述するように、所定の電気接点を介して撮像装置本体（不図示）と電気的に接続されている。
【００３９】
即ち、レンズ基板２９には、接点保持リング１８に設けられている複数の電気接点（不図示）が接続されている。この接点保持リング１８の電気接点（不図示）は、当該レンズ鏡筒１が撮像装置（不図示）に対して互いのマウント部を介して連結されたとき、当該撮像装置側の電気接点（不図示）と接触することで、レンズ鏡筒１と撮像装置（不図示）との間で電気的な接続が確立されるように構成されている。
【００４０】
したがって、上述のようにして、上記レンズ鏡筒１と不図示の撮像装置とが連結されたとき、上記絞りユニット１９から延伸されるフレキシブルプリント基板３０は、撮像装置側からの出力信号（例えば、絞り駆動モータ２８を駆動するための駆動制御信号等）や駆動電力の供給を受けることができると共に、絞りユニット１９側から撮像装置（不図示）側へと位置検出センサ（不図示）等の出力信号を送信する際の電気的伝達経路として利用される。
【００４１】
上記絞りユニット１９は、内部固定筒２５の前面側の一方の開放端（開口）から、当該内部固定筒２５の内部に向けて挿入された後、絞りユニット１９の後面側の所定の部位が、内部固定筒２５の光軸方向の略中央にあり、光軸と直交する面を有する当接部位２５ａ（図２参照）に当接して位置決めされた状態で配設される。
【００４２】
そして、この状態において、上記絞りユニット１９は、弾性部材であるシボリユニットオサエイタ２０の弾性力によって、前面側から後面側に向けて押し付けられる。これによって、上記絞りユニット１９は、上記内部固定筒２５内の所定の位置に固設されるように構成されている。
【００４３】
このとき、シボリユニットオサエイタ２０は、内部固定筒２５の内壁面の固定部（不図示）に対して複数のビス２７ｄ（図１参照）によってビス止め固定されている。このような構成により、上記絞りユニット１９は、内部固定筒２５内の当接部位２５ａ（図２参照）とシボリユニットオサエイタ２０とによって挟持された形態で固設されている。
【００４４】
上述したように、上記シボリユニットオサエイタ２０は、内部固定筒２５に固定されており、上記絞りユニット１９を上記内部固定筒２５の当接部位２５ａに向けて光軸方向の後方へ押圧することで、当該絞りユニット１９を上記内部固定筒２５に固定保持する弾性部材である。
【００４５】
また、上述したように、後側ユニット群４０において、外装後筒１６（固定枠，第２の枠）の内部には、図２に示すように、内部固定筒２５が配置されている。換言すると、内部固定筒２５は、外装後筒１６（第２の枠）の内側に設けられた第１の枠である。
【００４６】
この内部固定筒２５の内部には、同図２に示すように、第２，第３，第４レンズ群３２，３３，３４をそれぞれ保持する２群，３群，４群レンズ枠２２，２３，２４等が固定されている。
【００４７】
したがって、この構成において、上記内部固定筒２５は、上記外装後筒１６の一方の開放端（開口）から挿入され、レンズ群（３２，３３，３４）をそれぞれ保持するレンズ枠（２２、２３，２４）を保持し、上記外装後筒１６の中に固定される枠組立体である。また、逆の言い方をすれば、内部固定筒２５の外周に外装後筒１６が固定されているということになる。
【００４８】
そして、上記内部固定筒２５（枠組立体，第１の枠）の光軸方向で略中央部の内周側に形成されている第１空間部（図３の符号５０ａ参照）及びこの第１空間部部より光軸方向で少し後方寄りの、該第１空間部と繋がり、内部固定筒２５の内周側空間部と外周側空間部とで形成される第２の空間部（図３の符号５０ｂ）と、更にこの第２の空間部と繋がり、上記外装後筒１６（固定枠，第２の枠）の内周面１６ａと内部固定筒２５の外周側との間に形成された第３の空間部（図３の符号５０ｃ参照）との間には、図２，図３，図４に示すように、絞りユニット１９の所定の収納位置から外装後筒１６（第２の枠）の一端面である後面までの間で、フレキシブルプリント基板３０を挿通させ抜去できるような形態で光軸Ｏに沿う方向に連通した連通空間部（５０ａ，５０ｂ，５０ｃ；図４の矢印符号［Ａ］参照）が形成されている。
【００４９】
尚、上記第１空間部、上記第２の空間部、上記第３の空間部の形成について、それぞれ詳細に図３、図５と共に説明する。
【００５０】
上記第１空間部は、光軸方向とこれに直交する方向にそれぞれ所定の寸法を有する一部内周面と、この一部内周面に対向するように、略同面積で、この内周面より径方向に小さな径で形成される円周面と、この円周面の幅を挟むように内部固定筒２５の周方向に幅を有して、該幅を形成する互いに周方向に離間する一対の壁面と、で囲まれた空間を形成する。言わばこの空間は両端が開放された筒状の空間である。この筒状の空間の光軸方向の一方端は開口されていて絞りユニット１９と対向し、上記フレキシブルプリント基板３０の延伸端部がここから挿入され、フレキシブルプリント基板３０が貫通配置される。この開口を開口２５ｄとする。
【００５１】
そして他方端は内部固定筒２５の外周面に開放された開口２５ｆとなっている。該開口２５ｆには内部固定筒２５の内部から外部に向って上記延伸端部が排出容易なように斜面２５ｅが形成され、該開口２５ｆはこの斜面２５ｅを臨める開口となっている。この斜面に接するような空間から開口２５ｆの空間が第２空間部と言ってよい。
【００５２】
さらに、開口２５ｆから光軸方向に、且つ円周方向に幅を有する、内部固定筒２５の外周面と外装後筒１６の内周面１６ａとの間に形成された空間を第３空間部と言ってよい。
【００５３】
ここで、上記絞りユニット１９の所定の収納位置とは、当該絞りユニット１９が外装後筒１６の内部において、内部固定筒２５とシボリユニットオサエイタ２０とによって挟持された状態で固定されている位置である（図２，図３参照）。
【００５４】
上記連通空間部（５０ａ，５０ｂ）は、本レンズ鏡筒１を組み立てた状態とした時に、フレキシブルプリント基板３０を配置する空間である。つまり、フレキシブルプリント基板３０は、内部固定筒２５（固定枠）の一方の開放端（開口）から当該内部固定筒２５（固定枠）の中に光軸Ｏに沿う方向に挿入されて、同内部固定筒２５（固定枠）の他方の開放端（開口）から延伸部が露出され、そして、内部固定筒２５の外周と外装後筒１６の内周との間に該延伸部が配置され、当該フレキシブルプリント基板３０の延伸端部は、レンズ基板２９上のコネクタ２９ａ（図２参照）に接続されている。
【００５５】
このように構成された本実施形態のレンズ鏡筒１においては、通常の手順によって後側ユニット群４０を組み立てた後、内部固定筒２５の前面側の開口から絞りユニット１９を落とし込むように挿入し、当該絞りユニット１９の後面側の所定の部位を内部固定筒２５の光軸方向の略中央に在る前面側の当接部位２５ａ（図２参照）に当接させて位置決めした状態で配設する。
【００５６】
このとき、絞りユニット１９から延伸するフレキシブルプリント基板３０を、延ばした状態で内部固定筒２５の前面側の開口から挿入し、更に開口２５ｄへ挿入し、内部固定筒２５の略中央の内周側（図３の符号５０ａ参照）及び同内部固定筒２５の後面寄りの外周側（図３の符号５０ｂ）へ、更に外装後筒１６の内周側（図３の符号５０ｂｃ）との間の連通空間部（５０ａ，５０ｂ，５０ｃ）に挿通させる。そして、フレキシブルプリント基板３０の延伸端部を外装後筒１６の後面側に露呈させる位置まで引き出す。そうして、当該フレキシブルプリント基板３０の延伸端部を、レンズ基板２９のコネクタ２９ａに接続する。
【００５７】
次いで、シボリユニットオサエイタ２０を内部固定筒２５の前面側の開口から挿入し、当該シボリユニットオサエイタ２０の所定の部位が絞りユニット１９の前面側の各所定の位置に当接させた状態とする。この状態で、シボリユニットオサエイタ２０を上記内部固定筒２５に対してビス２７ｄによってビス固定する。
【００５８】
これにより、シボリユニットオサエイタ２０の所定の部位は、自身の弾性力によって絞りユニット１９の前面側の各当接部位を内部固定筒２５の前面の当接部位２５ａに向けて光軸Ｏに沿う方向において押圧する。したがって、絞りユニット１９は内部固定筒２５に対して固定される。
【００５９】
その後、１群レンズ枠Ｂ１５，１群レンズ枠Ａ１４，前側外装リング１３，フード取付リング１２，上記前面装飾リング１１の順に、前側ユニット群１０を組み付ける。これにより、当該レンズ鏡筒１の組み立ては完了する。
【００６０】
一方、本実施形態のレンズ鏡筒１において、内部構成ユニット、例えば絞りユニット１９のメンテナンスを行うといった場合には、レンズ鏡筒１の前面側から前側ユニット群１０の各構成ユニットを組み立て時とは逆順で取り外す。つまり、レンズ鏡筒１において、上記前面装飾リング１１，フード取付リング１２，前側外装リング１３，１群レンズ枠Ａ１４，１群レンズ枠Ｂ１５の順に取り外す。
【００６１】
その後、シボリユニットオサエイタ２０のビス２７ｄによるビス止め固定を解除して、当該シボリユニットオサエイタ２０を取り外すと共に、フレキシブルプリント基板３０の延伸端部をレンズ基板２９のコネクタ２９ａから抜去する。これにより、絞りユニット１９は、内部固定筒２５の前面側に容易に取り外すことができる。このとき、フレキシブルプリント基板３０は、連通空間部（５０ａ，５０ｂ，５０ｃ）を通して容易に抜去することができる。
【００６２】
以上説明したように上記一実施形態のレンズ鏡筒１によれば、絞りユニット１９から延伸するフレキシブルプリント基板３０は、レンズ鏡筒１の前面側から後面側に向けて光軸Ｏに沿う方向に延びるように配置され、その延伸端部は、レンズ側マウント部１７の近傍の内側に配設されているレンズ基板２９にまで延伸し、当該レンズ基板２９のコネクタ２９ａに接続されている。
【００６３】
この場合において、内部固定筒２５の前面寄りの内周側（図３の符号５０ａ）及び内部固定筒２５の後面寄りの外周側（図３の符号５０ｂ）と、外装後筒１６の内周側（図３の符号５０ｃ）との間に、連通空間部（５０ａ，５０ｂ，５０ｃ）を設け、この連通空間部（５０ａ，５０ｂ，５０ｃ）にフレキシブルプリント基板３０を挿通させて配置するようにしている。
【００６４】
このような構成により、絞りユニット１９から延伸するフレキシブルプリント基板３０は、組み立て時には、連通空間部（５０ａ，５０ｂ，５０ｃ）を介して極めて容易に後面側のレンズ基板２９にまで到達させることができる。また、同フレキシブルプリント基板３０は、メンテナンス時などには、連通空間部（５０ａ，５０ｂ，５０ｃ）を介して当該レンズ鏡筒１の前面側に向けて極めて容易に抜去することができる。
【００６５】
したがって、本実施形態のレンズ鏡筒１の構成によれば、内部構成物（絞りユニット１９等）を組み込む際や、同内部構成物を取り出す際の工程を簡素化することができ、よって、製造コストやメンテナンスコストの低減化に寄与することができると同時に、製造工程時の作業性及びメンテナンス性の向上に寄与することができる。
【００６６】
ところで、従来のレンズ鏡筒や撮像装置等においては、過酷環境下での使用を考慮した防塵防滴構造を備えたものがある。この種の従来のレンズ鏡筒等において、ビス，ネジ等を用いて部品同士を連結する際に、当該連結部位の防塵防滴構造としては、例えばビス，ネジ等を設けた部位の近傍にＯ（オー）リングを設けたり、接着剤等を用いて部品同士を接着固定するといった手段が適用されている。
【００６７】
しかしながら、防塵防滴構造として、Ｏリングを使用するものでは、部品同士の間でＯリングのための占有空間が必要となる。例えば、携帯可能な小型カメラに適用されるレンズ鏡筒等においては、部品同士の連結部位にＯリングを用いる場合、約φ０．６以上のＯリングが必要になる。さらに、Ｏリングを用いる場合、装置を組み立てる際の作業性が低下する。また、防塵防滴構造として、接着剤等を用いた手段では、メンテナンス等を行う際に分解することができず、製品のリペア性が低下する。
【００６８】
そこで、本実施形態のレンズ鏡筒１は、ビス止め固定による部品同士の連結部位の防塵防滴構造を工夫して、省スペース化を実現すると同時に、リペア性にも優れた構成を備えている。
【００６９】
図６は、本実施形態のレンズ鏡筒の一部（フード取付リングと前側外装リングとのビス止め固定部近傍；図２の符号［６］で示す領域近傍）を拡大して示す要部拡大断面図である。ただし、図２の符号［６］で示す領域は、ビス止め固定部そのものを示しているものではない。つまり、図６は、本レンズ鏡筒１において、図２の符号［６］で示す領域に相当する領域であって、ビスが配設されるビス止め固定部近傍の断面を示している。
【００７０】
図６に示すように、また、上述したように、フード取付リング１２は、前側外装リング１３を挟んで内部固定筒２５の前面側に複数のビス２７ａを用いてビス止め固定されている。そして、前側外装リング１３の後面と内部固定筒２５（固定枠）の前面との間において、複数のビス２７ａの近傍の部位に薄膜状のシート状防水部材５１が挟持されている。このシート状防水部材５１は、弾性を有し防水性を備えた薄膜部材が適用される。本実施形態のレンズ鏡筒１においては、当該シート状防水部材５１は、例えば厚さ寸法ｔ＝0.15ｍｍ程度のものが適用されている。
【００７１】
そのために、内部固定筒２５の前面側には、ビス２７ａが螺合されるビス孔２５ｂ（図６参照）の近傍の部位に、前側外装リング１３の後面側の所定の部位と当接する当接面２５ｃを設け、この当接面２５ｃにシート状防水部材５１を配設するように構成している。
【００７２】
このように構成することにより、前側外装リング１３と内部固定筒２５との間に挟まれて配設されるシート状防水部材５１が、安定して潰れるので、シート状防水部材５１を薄い部材で形成しても、充分な防塵防滴機能を得ることができると同時に、シート状防水部材５１を薄型化できるので、省スペース化にも寄与することができる。
【００７３】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【００７４】
本発明は、撮像機能に特化した撮像装置のみに限られることはなく、撮像機能を備えたその他の形態の電子機器、例えばデジタルカメラ，ムービーカメラ，携帯電話，スマートフォン，電子手帳，電子辞書，携帯情報端末，パーソナルコンピュータ，タブレット型端末機器，ゲーム機器，テレビジョン受像器，時計，ＧＰＳ（Global Positioning System）を利用したナビゲーション機器等、各種の撮像機能付き電子機器に対して広く適用することができる。
【００７５】
さらに、撮像素子を用いて画像を取得して、その取得画像を表示装置を用いて表示する機能を有する電子機器、例えば望遠鏡，双眼鏡，単眼鏡，顕微鏡等の観察用機器に対しても同様に適用することができる。
【００７６】
また、内視鏡，顕微鏡のような産業用若しくは医療用の観察機器等のほか、監視カメラや車載用カメラ等の撮像装置であっても同様に適用することができる。
【００７７】
これらに加えてさらに、例えば透過型液晶表示装置等を用いて画像を拡大投影する投影型画像表示装置等に対しても同様に適用することができる。
【符号の説明】
【００７８】
１……レンズ鏡筒，
１０……前側ユニット群，
１１……前面装飾リング，
１２……フード取付リング，
１３……前側外装リング，
１４……１群レンズ枠Ａ，
１５……１群レンズ枠Ｂ，
１６……外装後筒，
１７……レンズ側マウント部，
１８……接点保持リング，
１９……絞りユニット，
２０……シボリユニットオサエイタ，
２１……フォーカスリング，
２２……２群レンズ枠，
２３……３群レンズ枠，
２４……４群レンズ枠，
２５……内部固定筒，
２５ａ……当接部位
２５ｂ……ビス孔，
２５ｃ……当接面,
２６……両面テープ，
２７ａ，２７ｂ，２７ｃ，２７ｄ，２７ｅ，２７ｆ……ビス，
２８……絞り駆動モータ，
２９……レンズ基板，
２９ａ……コネクタ,
３０……フレキシブルプリント基板，
３１……第１レンズ群，
３２……第２レンズ群，
３３……第３レンズ群，
３４……第４レンズ群，
４０……後側ユニット群，
５０ａ，５０ｂ，５０ｃ……連通空間部，
５１……シート状防水部材
【図１】
2018141828.tif 000003
【図２】
2018141828.tif 000004
【図３】
2018141828.tif 000005
【図４】
2018141828.tif 000006
【図５】
2018141828.tif 000007
【図６】
2018141828.tif 000008